(57)【特許請求の範囲】
【請求項１】
ハウジング内に実装される明るさセンサと、ハウジングに外付けされる外付け明るさセンサ内の明るさセンサとを照明制御部に選択的に接続させ、該接続される明るさセンサにより検知した外光の強さに応じて照明制御部が発光部を制御するものであって、ハウジング内部に発光部と照明制御部を内装し、実装用の明るさセンサを接続する実装用端子と、外付け明るさセンサユニット内の明るさセンサを接続する外付け用端子とを照明制御部に設け、上記実装用端子に対向して形成される採光窓と発光部に対向して形成される照射窓とをハウジングの同一面に設けるとともに、外付け明るさセンサユニットが取付自在となる取付部をハウジングの照射窓とは反対の面に設けてなることを特徴とする照明ユニット。
【請求項２】
ハウジング内部に電源接続部を有する電源端子台を内装し、該電源接続部をハウジングの発光部を設けた面と反対側の面に露出させ、発光部の照射方向が略水平方向となるようにハウジングを位置させた状態のときに電源接続部を上部において覆う為のひさしをハウジングに設けてなることを特徴とする請求項１記載の照明ユニット。
【請求項３】
外付け明るさセンサユニット取付部の内側近傍にリード線の張力止め用リブを設けてなることを特徴とする請求項１記載の照明ユニット。
【請求項４】
外付け明るさセンサユニット内部に、明るさセンサ挿入用に設けた開口部を塞いで明るさセンサを保持する為の蓋を取付けてなることを特徴とする請求項１記載の照明ユニット。
【発明の詳細な説明】
【０００１】
【発明の属する技術分野】
本発明は、幅木及び手すりベースに取付ける明るさセンサ付照明ユニットに関するものである。
【０００２】
【従来の技術】
住宅などの居住空間において夜中に廊下やトイレを使用する場合、外光が充分に得られない状態では通路や便器と自分の位置関係が認識しづらいので、人為的に周辺空間を明るく照らすのが普通である。この場合に天井及びその近傍から空間全体を照らす通常の照明装置を利用したのでは、夜中としては光が強過ぎる為に利用した本人が必要以上に覚醒してしまい、その後の睡眠に支障をきたす恐れがある。また、周辺の人々の安眠を妨げることにもなりかねない。上述の問題を解決する為に従来の照明装置を使用して、その照射する光を弱く抑えるという方法をとった場合には、最も必要とされる足元周辺の空間を充分確認できる程度に照らすことができないという新たな問題が生じる。
【０００３】
そこで通路や便器周辺といった必要な箇所のみを必要な強さで照らし、更に周囲の明るさの状態を専用の明るさセンサで感知して照明のオンオフや強弱調整を自動的に実行する機能を有した照明ユニットを壁の足元近辺に取付けておけば、スイッチを操作する手間も省け、且つ、絶えず足元を必要な明るさで安全な状態に保つことが可能となる。このような照明ユニットとしては従来から壁設置型の足元灯の照明ユニットが実用化されているが、該照明ユニットにおいては照明部から直接目に光が当たる眩しさ及び壁面からの照り返しの眩しさを抑制する為に照明部上部にシェードと呼ばれるかさ部を設けており、この為に壁面からおよそ２０ｍｍ程度の出っ張りが機能的に邪魔になるばかりか、複数個取付けた場合には居住空間全体の内装を意匠的に損ねることにもなる。
【０００４】
【発明が解決しようとする課題】
上述のような機能的、意匠的な問題を解決する為には、壁に設置した幅木や手すりベース内に明るさセンサ付照明ユニットを組み込んで使用する方法が考えられる。ここで言う手すりベースとは手すり取付用の補強材のことである。幅木に組み込む場合の明るさセンサ付照明ユニットの構成としては、発光部から生じる光で外部空間を照らす為の照射窓と外光を明るさセンサに採り込む為の採光窓が共に略水平に空間方向を向いている状態であれば、足元を効率よく照らすことができ、また外光を感度良く検知することができる。従って発光部と明るさセンサの両者を共に照明ユニットを施工した場合に側面となる面に形成すればよい。
【０００５】
一方、手すりバーに組み込む場合の明るさセンサ付照明ユニットの構成としては、発光部と明るさセンサは照明ユニットの上方向と下方向という反対方向に両者を形成する必要がある。発光部は手すりベース底面から下方（つまり足元）を照らす必要があり、一方明るさセンサは外光に対して影となる手すりベース下方ではなく手すりベース上方に形成するほうが外光を感度良く感知する為には都合が良いからである。この問題点を解決する為には、幅木専用の明るさセンサ付照明ユニットと手すりバー専用の明るさセンサ付照明ユニットといった別々の明るさセンサ付照明ユニットを用意する必要がある。しかし、それではコスト面で問題が生じる。
【０００６】
本発明は、幅木、手すりバーのどちらにも組み込むことのできる明るさセンサ付照明ユニットを提供することを課題とするものである。
【０００７】
【課題を解決するための手段】
上記課題を解決するために請求項１記載の本発明は、ハウジング内に実装される明るさセンサと、ハウジングに外付けされる外付け明るさセンサ内の明るさセンサとを照明制御部に選択的に接続させ、該接続される明るさセンサにより検知した外光の強さに応じて照明制御部が発光部を制御するものであって、ハウジング内部に発光部と照明制御部を内装し、実装用の明るさセンサを接続する実装用端子と、外付け明るさセンサユニット内の明るさセンサを接続する外付け用端子とを照明制御部に設け、上記実装用端子に対向して形成される採光窓と発光部に対向して形成される照射窓とをハウジングの同一面に設けるとともに、外付け明るさセンサユニットが取付自在となる取付部をハウジングの照射窓とは反対の面に設けてなることを特徴とする照明ユニットとする。
【０００８】
請求項２記載の本発明は、ハウジング内部に電源接続部を有する電源端子台を内装し、該電源接続部をハウジングの発光部を設けた面と反対側の面に露出させ、発光部の照射方向が略水平方向となるようにハウジングを位置させた状態のときに電源接続部を上部において覆う為のひさしをハウジングに設けてなることを特徴とする請求項１記載の照明ユニットとする。
【０００９】
請求項３記載の本発明は、外付け明るさセンサユニット取付部の内側近傍にリード線の張力止め用リブを設けてなることを特徴とする請求項１記載の照明ユニットとする。
【００１０】
請求項４記載の本発明は、外付け明るさセンサユニット内部に、明るさセンサ挿入用に設けた開口部を塞いで明るさセンサを保持する為の蓋を取付けてなることを特徴とする請求項１記載の照明ユニットとする。
【００１１】
【発明の実施の形態】
以下、本発明を添付図面に示す実施形態に基づいて説明する。図１は本発明における実施形態の一例である照明ユニットを示したもので、(ａ)は底面図、（ｂ）は背面図である。照明ユニットのハウジング１は全体として略直方体を成し、該ハウジング１内には二層に分かれて成る回路板２がハウジング正面１ａと平行に内装されている。照明制御部である該回路板２のうちハウジング正面１ａ側に位置する正面側回路板２ａの略中央部には複数の発光ダイオードから成る発光部３が設けてあり、発光部３と対向するハウジング正面１ａには該発光部３からの光で外部空間を照らす為の照射窓４を形成してある。実装用の明るさセンサ２０と、外付け明るさセンサユニット５０に内装された外付け用の明るさセンサ２０に接続したリード線３１を選択的に接続する為の端子として、実装用端子５と外付け用端子６といった別々の端子を設け、実装用端子５には実装用の明るさセンサ２０を、外付け用端子６には外付け明るさセンサユニット５０に内装された外付け用の明るさセンサ２０に接続したリード線３１を選択的に接続する構成となっている。正面側回路板２ａの発光部３隣りには実装用端子５が設けてあり、該実装用端子５と対向するハウジング正面１ａには外光を採り入れる為の採光窓７を形成してある。更に採光窓７側のハウジング正面１ａは、ハウジング正面１ａ全体の１/３程度を覆う化粧板８を着脱自在な状態で嵌め込めるように形成されている。また照射窓４を挟んで採光窓７と反対側のハウジング正面１ａには略円形状の開口部９が形成され、該開口部９からはハウジング１に内装された明るさセンサ２０の感度調整ボリューム１０のつまみ１０ａが露出している。つまみ１０ａ側のハウジング正面１ａも採光窓７側と同様に、ハウジング正面１ａ全体の１/３程度を覆う化粧板１１を着脱自在に嵌め込めるように形成されている。但し、上述のように発光部３から外部に照射される光を遮断しない程度にハウジング正面１ａを覆う二枚の化粧板８，１１を嵌め込めるようにハウジング正面１ａが形成されていても良いし、又は、中央に照射窓４からの光を透すための窓を設けてハウジング正面１ａ全体を覆う一枚の化粧板を嵌め込めるようにハウジング正面１ａが形成されていても構わない。また照明ユニットを幅木２６や手すりバー３９といった構造物に取付ける為のビス穴１１を一対ずつ左右に設けたフランジ１２がハウジング正面１ａの周辺に延設されている。
【００１２】
二層から成る回路板２のうちハウジング背面１ｂ側に位置する背面側回路板２ｂには外付け用端子６を設けており、背面側回路板２ｂの感度調整ボリューム１０近傍にその一端を接続した送り配線用コード１３はハウジング１内部で張力止めしたうえでハウジング背面１ｂに形成された開口部１４からもう一端が外部に導出されている。背面側回路板２ｂとハウジング１とで囲まれる領域の実装用端子５近傍に内装された電源端子台１５は、ハウジング背面１ｂの凹段部１ｃに形成された開口部１６からその一部が露出しており、さらにその電源端子台１５の露出部には電源接続部１５ａが設けてある。またハウジング背面１ｂの凹段部１ｃには、上方から見た場合に該凹段部１ｃから露出した電源接続部１５ａを覆う為にハウジング上面１ｄからひさし１７を延設してある。ハウジング背面１ｂには大形角穴１８ａと小形角穴１８ｂが連通するように構成された取付け部１８を形成してあり、大形角穴１８ａの両端を外付け明るさセンサユニット５０の係止部３７，３７、小形角穴１８ｂをリード線３１の挿通口として利用することで、必要に応じて外付け明るさセンサユニット５０を係止することができるようになっている。またハウジング１内の取付け部１８近傍にはリード線３１を張力止めする為のリブ１９をハウジング背面１ｂと平行になるように設けてある。
【００１３】
上記のような構成から成る照明ユニットは、明るさセンサ２０を取付けることで明るさセンサ付照明ユニットとして使用できるものである。明るさセンサ２０の取付け方法として照明ユニットへの実装という方法を選択した場合には、外光を採り込む位置と光を外部に照射する位置がハウジング１の同一面上になるので、幅木用明るさセンサ付照明ユニットとなる。またハウジング背面１ｂに外付け明るさセンサユニット５０を外付けするという方法を選択した場合には、光を採り込む位置と光を外部に照射する位置がハウジング１の反対方向の面上となるので、手すりバー用明るさセンサ付照明ユニットとなる。以下に上述の幅木用明るさセンサ付照明ユニットおよび手すりバー用明るさセンサ付照明ユニットに関して、それらの構成及び構造物への取付け状態について詳述する。
【００１４】
図２は幅木用明るさセンサ付照明ユニットの幅木への取付け状態を示した上面図であり、図３は同上の正面図、図４は同上の底面図、図５は同上の背面図、および図６は同上の垂直断面図である。
【００１５】
以下、幅木用明るさセンサ付照明ユニットの構成について説明する。図４に示すように、正面側回路板２ａに設けた実装用端子５には明るさセンサ２０を実装し、ハウジング正面１ａに形成した採光窓７により正面側回路板上２ａの明るさセンサ２０に外光を採り込むようになっている。さらに図３に示すように、ハウジング正面１ａには採光窓７と対向する箇所に開口部２１を設けた略長方形状の化粧板２２を装着することで、ハウジング正面１ａ全体の１/３程度を覆っており、同様にハウジング正面１ａの感度調節ボリューム１０側にもハウジング正面１ａ全体の１/３程度を覆う略長方形状の化粧板２３が装着されている。取付け後に再度感度調整の必要な場合は、該化粧板２３を外してドライバーにて調整する。また使用する化粧板は中央に透光部を形成した化粧板を使用して採光窓７側と感度調整ボリューム１０側両方を一枚で覆っても構わない。ハウジング背面１ｂに形成した取付け部１８には図５に示すような器具銘盤等のシール２４を貼着することにより、結露水や塵などがハウジング１内部へ進入することを防いでおく。上記のような構成の明るさセンサ付照明ユニットとすれば、明るさセンサ５と発光部３は同一方向を向くように内装された状態になる。
【００１６】
次に、幅木用明るさセンサ付照明ユニットの幅木２６への取付け状態について説明する。図２、４、６に示すように壁の内装材２５には、照明ユニットの垂直断面よりも僅かに大きい略長方形状の断面を有する穴２５ａが施してあり、さらに幅木２６には上述の穴２５ａと同形状の断面を有し且つ片側には段掘り部２６ｂを設けた穴２６ａが施してある。壁の内装材２５と幅木２６に設けた穴２５ａ，２６ａが連通し、且つ、段掘り部２６ｂが壁と反対方向にある状態で幅木２６は壁の内装材２５に取付けられており、連通した穴２５ａ，２６ａには幅木用明るさセンサ付照明ユニットが、照射方向が略水平になるように挿入されているので、該照明ユニットのハウジング背面１ｂに位置する電源接続部１５ａおよびハウジング背面１ｂから導出されたコード１３は壁の内部空間２７に露出している。電源接続部１５ａの上方から延設したひさし１７は、壁の内部空間２７にて生じる露水や塵から電源接続部１５ａを保護する役割を果たしている。この状態で幅木用明るさセンサ付照明ユニットのフランジ１２に形成したビス穴１１を貫通して幅木の段掘り部２６ｂにビス２７が固定されることで、幅木用明るさセンサ付照明ユニットは幅木２６に組み込まれている。このような取付け状態にすることで、幅木２６正面から外光を採り込んで、その検知結果により制御した光を同じく幅木２６正面から足元方向に照射することができる。
【００１７】
図７は手すりバー用明るさセンサ付照明ユニットの手すりバー３９への取付け状態を示した正面図であり、図８は同上の底面図、図９は同上の背面図、図１０は同上の上面図、および図１１は同上の垂直断面図である。図１２は外付け明るさセンサユニット５０の照明ユニットへの取付け状態の断面図であり、図１３は明るさセンサ支持部２８の概略図を示している。また図１４は明るさセンサ支持部２８に挿入する蓋を示しており、（ａ）は正面図、（ｂ）は（ａ）のＡ部詳細図である。
【００１８】
外付け明るさセンサユニット５０及びそれを照明ユニット本体に取付けた手すりバー用明るさセンサ付照明ユニットの構成について説明する。図１３に示す明るさセンサ支持部２８においては、明るさセンサ２０と基板２９は筒状のスペーサ−３０を介して電気的に接続しており、さらに該基板２９はリード線３１の一端と接続されている。図１２等に示すような断面が略四角形の筒状を成す外付け明るさセンサユニット５０の外殻に設けた開口部３２から、上記の構成をした明るさセンサ支持部２８を明るさセンサ２０が先頭になるように挿入すれば、明るさセンサ支持部２８の基板２９と外付け明るさセンサユニット５０の外殻内部に設けたリブ（図示せず）が当接する。そして図１４に示す略Ｈ型の形状をした蓋３３を該開口部３２から挿入することにより、蓋３３の側面に設けた三角リブ３４と外付け明るさセンサユニット５０の外殻内面との押圧により固定された蓋３３が、明るさセンサ支持部２８の基板２９を下から支えるので、明るさセンサ２０が外付け明るさセンサユニット５０の先端部に保持されることとなる。ここで、挿入する蓋３３の中心には円形状の開口部３５が設けてあり、明るさセンサ支持部２８の基板２９とその一端を接続したリード線３１のもう一端が該開口部３５より外付け明るさセンサユニット５０の外部に導出されている。図１２の取付け状態に示すように、外付け明るさセンサユニット５０の外周面上には所定の間隔をもった大小一対のリブ３６が二組、該ユニット５０の中心軸とは垂直方向に、且つ、互いが反対方向を向くように立設してあり、上述の二組のリブ３６，３６と取付け部１８を構成する大形角穴１８ａの両端に位置する係止部３７、３７とがそれぞれ係止することにより、外付け明るさセンサユニット５０は照明ユニット本体のハウジング１に取付けられる。さらに図７に示すように、外付け明るさセンサユニット５０に挿着してある蓋３３の開口部３５から導出されたリード線３１を、取付け部１８の小形角穴１８ｂから照明ユニット本体のハウジング１内部に引き込み、取付け部１８近傍に設けた張力止めリブ１９とハウジング１内部の成型品との間で挟み込むことにより張力止めをする。そして該リード線３１の一端を背面側回路板２ｂに設けた外付け用端子６と接続すれば、外付け明るさセンサユニット５０の先端に内装された明るさセンサ２０と照明ユニット本体のハウジング１に内装された回路板２からなる照明制御部が電気的に接続されることとなる。ハウジング正面１ａの採光窓７側及び感度調整ボリューム１０側にはそれぞれハウジング正面１ａ全体の１/３程度を覆う略長方形状をした化粧板３８ａ，３８ｂを装着するが、上述の様に二枚の化粧板３８ａ，３８ｂを使用せずに略中央部に透光部を設けた一枚の化粧板を用いても構わない。上記のような構成とすれば、明るさセンサ２０と発光部３が互いに逆方向を向くように内装された明るさセンサ付照明ユニットとなる。
【００１９】
手すりバー用明るさセンサ付照明ユニットの手すりバー３９への取付け状態について以下に述べる。図７、９、１１に示すように、手すりバー３９には照明ユニット本体のハウジング１の形状より僅かに大きい程度の凹部４０が、底面３９ａと背面３９ｂが開口するように施してあり、該凹部４０の底面開口部には段掘り部４１を設けている。さらに手すりバー３９の上面３９ｃにも、外付け明るさセンサユニット５０の形状より僅かに大きい程度の穴４２が施され、上述の凹部４０と連通している。外付け明るさセンサユニット５０が穴４２に納まるように、手すりバー用明るさセンサ付照明ユニットを手すりバー３９の凹部４０に収納すれば、手すりバー３９の上面３９ｃの開口部４２からは外付け明るさセンサユニット５０に内装された明るさセンサ２０が露出する状態となり、さらに図７の様に該開口部４２を塞ぐようなキャップ４３を外付け用明るさセンサユニット５０の先端部に取付けておけば、明るさセンサ２０を保護することができる。また、手すりバー３９の背面３９ｂの開口部からは照明ユニット本体に設けた電源接続部１５ａが露出している。手すりバー３９の段掘り部４１には照明ユニット本体のハウジング１に設けたフランジ１２に形成したビス穴１１を貫通してビス２７が固定されており、これにより手すりバー用明るさセンサ付照明ユニットは手すりバー３９に組み込まれた状態で取付けられている。このような取付け状態にすることで、手すりバー３９の上面３９ｃから外光を採り込んで、その検知結果により制御した光を手すりバー３９の底面３９ａから足元方向に照射することができる。
【００２０】
【発明の効果】
上記のように本発明の請求項１記載の発明にあっては、明るさセンサを照明ユニットからの光の照射方向と同一方向を向くように照明ユニット内の照明制御部に実装するか、又は照射方向とは反対方向に取付けた外付け明るさセンサユニット内の明るさセンサを上記照明制御部と接続するかのいずれかを選択できるものであり、前者においては幅木への組み込み、後者においては手すりバーへの組み込みによる取付けに適している。従って、照明ユニット本体は共通として明るさセンサについては場合に応じた取付け方法をとることで、幅木、手すりバーどちらへの取付けにも対応できるので、照明ユニット自体を別々に製作する場合と比較すれば金型投資等にかかるコストを削減でき、安価に商品を提供することが可能となる。
【００２１】
本発明の請求項２記載の発明にあっては、電源端子台の上部に電源接続部を覆う為のひさしを設けることで、照明ユニットを幅木に組み込んだ場合に壁の内部空間に露出する電源接続部を結露水や塵から保護する。電源接続部でのトラッキング等を防止することができるので、電気安全性面の向上を図ることができる。
【００２２】
本発明の請求項３記載の発明にあっては、照明ユニット本体のハウジング内に張力止め用リブを設けることで、外付け明るさセンサユニットが不意に引っ張られた場合にも、両者をつなぐリード線がリブにて張力止めされている為に該リード線と照明ユニットの接続部には過大な荷重がかからず、照明ユニット内部の機器類の損傷を食い止めることができる。
【００２３】
本発明の請求項４記載の発明にあっては、蓋によって外付け明るさセンサユニットの開口部を塞ぐことで、明るさセンサを外付け明るさセンサユニット内に安定して保持することができる。
【図面の簡単な説明】
【図１】本発明における実施形態の一例である照明ユニットを示したもので、（ａ）は底面図、（ｂ）は背面図である。
【図２】本発明における実施形態の他の例である幅木用明るさセンサ付照明ユニットの幅木取付け状態の上面図である。
【図３】同上の正面図である。
【図４】同上の底面図である。
【図５】同上の背面図である。
【図６】同上の垂直段面図である。
【図７】本発明における実施形態のさらに他の例である手すりバー用明るさセンサ付照明ユニットの手すりバー取付け状態を示した正面図である。
【図８】同上の底面図である。
【図９】同上の背面図である。
【図１０】同上の上面図である。
【図１１】同上の垂直断面図である。
【図１２】外付け明るさセンサユニットの照明ユニットへの取付け状態の断面図である。
【図１３】明るさセンサ支持部の概略図である。
【図１４】明るさセンサ支持部に挿入する蓋を示した図であり、（ａ）は正面図、（ｂ）は（ａ）のＡ部詳細図である。
【符号の説明】
１  照明ユニットのハウジング
２  回路板
３  発光部
４  照射窓
５  実装用端子
６  外付け用端子
７  採光窓
１５  電源端子台
１５ａ  電源接続部
１７  ひさし
１８  取付け部
１９  リード線の張力止め用リブ
２０  明るさセンサ
２６  幅木
３１  リード線
３３  蓋
３９  手すりバー
５０  外付け明るさセンサユニット
【図１】
0003613136.tif 000002
【図２】
0003613136.tif 000003
【図３】
0003613136.tif 000004
【図４】
0003613136.tif 000005
【図５】
0003613136.tif 000006
【図６】
0003613136.tif 000007
【図７】
0003613136.tif 000008
【図８】
0003613136.tif 000009
【図９】
0003613136.tif 000010
【図１０】
0003613136.tif 000011
【図１１】
0003613136.tif 000012
【図１２】
0003613136.tif 000013
【図１３】
0003613136.tif 000014
【図１４】
0003613136.tif 000015